(57)【要約】      （修正有）【課題】建物内に居住する居住者を訪問するエレベータの利用客に対し、エレベータの利便性を向上するとともに労力を軽減する。【解決手段】建物の昇降路２内を昇降する乗りかご内に、建物内の各階床に居住する居住者名が表示された複数個の押しボタン８ａを有するかご内操作盤８を設ける。このかご内操作盤８の押しボタン８ａの操作に基づき、駆動制御装置は、乗りかごを押しボタン８ａに表示された居住者の居室のある階床に移動させる。【選択図】図２
2007217127.tif 000002
【特許請求の範囲】
【請求項１】
建物の昇降路内を昇降する乗りかごと、
この乗りかご内に設けられ、建物内の各階床に居住する居住者名が表示された複数個の押しボタンを有するかご内操作盤と、
このかご内操作盤の前記押しボタンの操作に基づき、前記乗りかごを、前記押しボタンに表示された居住者の居室のある階床に移動させる駆動制御装置と、
を有することを特徴とするエレベータシステム。
【請求項２】
前記居室側または建物の一階に、前記駆動制御装置にオン、オフ信号または複数種類の信号を出力するスイッチを設け、このスイッチにより、前記押しボタンの操作に基づき、前記居住者の不在の報知あるいは乗りかご停止指令を入力できるように構成したことを特徴とする請求項１に記載のエレベータシステム。
【請求項３】
前記乗りかごは二方向ドアを備え、前記駆動制御装置は、前記押しボタンの操作に対応する前記居住者の居室のある側のドアのみを開閉することを特徴とする請求項１または２に記載のエレベータシステム。
【請求項４】
前記駆動制御装置は、
前記押しボタンの操作により前記スイッチの状態に基づいて前記乗りかご内において、前記居住者の不在の報知あるいは乗りかご停止指令を入力できるように構成されているとともに、
前記スイッチの状態が不在の報知あるいは乗りかご停止禁止指令が入力されているときには前記乗りかごの行先階での着床を禁止し、前記スイッチの状態が不在の報知も乗りかご停止禁止指令の入力のなされていないときには前記乗りかごの行先階で前記乗りかごを停止させるように構成されていること、
を特徴とする請求項２または３に記載のエレベータシステム。
【発明の詳細な説明】
【技術分野】
【０００１】
本発明は、集合住宅のような建物内に居住する居住者を訪問するエレベータ利用者の利便性を図ったエレベータシステムに関するものである。
【背景技術】
【０００２】
一般に複数の階床に設けられた居室に居住者が居住している集合住宅のような建物においては、一階の入り口の近くに、各階床の居室に居住する居住者名を記載した案内板や郵便受けが設けられている。この建物を初めて訪れた訪問者または久しぶりに訪れた訪問者は、この掲示板や郵便受けなどを見て、訪問先である居住者の居室のある階床を確認し、エレベータを利用して乗りかご内に設けられているかご内操作盤の、階床が表示されている押しボタンを押して行先階へ移動することが多い。
【発明の開示】
【発明が解決しようとする課題】
【０００３】
この場合、訪問者は最初に案内板や郵便受けを探す必要があるが、この案内板や郵便受けを探すために少なからず労力を要することになる。また案内板や郵便受けにより訪問先の居室のある階床を確認したものの、エレベータを利用するに際して、階床を忘れてしまうことがあり、この場合には再度案内板や郵便受けのある場所まで戻って確認する必要がある。さらに訪問者が乗りかごに乗って行先階に行き、訪問先の居室に辿り着いても、その居住者が不在であったりする場合もある。
【０００４】
本発明は、上記課題を解決するためになされたもので、建物内に居住する居住者を訪問するエレベータの利用客に対し、エレベータの利便性を向上するとともに労力を軽減することのできるエレベータシステムを提供することを目的とする。
【課題を解決するための手段】
【０００５】
上記の課題を解決するため、本発明によるエレベータシステムは、建物の昇降路内を昇降する乗りかごと、この乗りかご内に設けられ、建物内の各階床に居住する居住者名が表示された複数個の押しボタンを有するかご内操作盤と、このかご内操作盤の押しボタンの操作に基づき、乗りかごを、押しボタンに表示された居住者の居室のある階床に移動させる駆動制御装置とを有することを特徴とする。
【発明の効果】
【０００６】
本発明によれば、エレベータ利用者は訪問先の居住者名の押しボタンを押すことにより案内板などで居住者の居住する階床を確認する必要がなくなり、エレベータ利用者の労力を低減できるとともにエレベータの利便性を高めることができる。
【発明を実施するための最良の形態】
【０００７】
以下、本発明の実施形態を説明する。図１は、本発明の第１の実施形態によるエレベータシステムを採用した建物を示す部分縦断面図である。図２は、図１のエレベータシステムで用いられるかご内操作盤を示す正面図である。図３は、図１のエレベータシステムにおける駆動制御装置とかご内操作盤との接続構成を示す制御系統図である。
【０００８】
図１ないし図３において、図１に示す建物１は、地上４階建てで、２階以上にそれぞれ３つの居室が配置されている場合である。この建物１内に昇降路２が設置されている。昇降路２内には、かごドア３ａを有する乗りかご３が昇降するようになっており、この乗りかご３は、巻上機４によって駆動されるシーブ５によりロープ６を介して釣り合い重り７との釣り合いによって昇降されるようになっている。乗りかご３内には、後述するかご内操作盤８のほか、かご内出力装置９などが設けられている。
【０００９】
建物１の１階には、玄関につながるエントランスホール１０が設けられており、エントランスホール１０に面する昇降路２の側壁にエレベータの乗り場ドア１ａが設けられている。また建物１の２階よりも上の階床にもこの乗り場ドア１ａと同様の位置に乗り場ドア１ａが設けられており、この乗り場ドア１ａから通路１１を介して各居室に行き来できるようになっている。各階床の乗り場ドア１ａの近傍に位置する建物１の側壁には、それぞれ乗り場操作盤１２が設けられている。この乗り場操作盤１２には、かご呼びボタン（図示せず）が設けられており、かご呼びボタンを操作することにより、乗りかご３の呼びが可能となっている。
【００１０】
乗りかご３のかごドア３ａは、この乗り場ドア１ａに対応する側に設けられており、かごドア３ａおよび乗り場ドア１ａによってエレベータ利用者の乗降口が構成されている。  乗りかご３を運転制御する駆動制御装置１３は、かご内操作盤８、かご内出力装置（報知手段）９、乗り場操作盤１２、巻上機４などと接続され、乗りかご３を昇降制御するようになっている。
【００１１】
ここで、建物１の２階以上の階床には、たとえば２階には清水さん宅、水谷さん宅、武田さん宅の居室があり、３階には吉岡さん宅、木村さん宅、北村さん宅の居室があり、４階には加藤さん宅、桜井さん宅、酒井さん宅の居室があるとする。この場合において、本実施形態では、かご内操作盤８に、図２に示すように、行先階ボタンに代えて各居室の居住者名を表示した複数個の表札形式の押しボタン８ａが設けられており、また１階ホールボタン８ｂ、ドア開閉ボタン８ｃや表示装置（報知手段）８ｄが設けられている。
【００１２】
各押しボタン８ａや１階ホールボタン８ｂなどは、図３に示すようにそれぞれ駆動制御装置１３に接続されていて、いずれかのボタン８ａ、８ｂが押されると点灯し、また駆動制御装置１３に対して行先階を認識させるようになっている。駆動制御装置１３は、行先階登録を受け付けると、押されたボタン８ａ、８ｂに該当する行先階への乗りかご３の昇降制御を行なう。
【００１３】
したがって、エレベータ利用者は、訪問先の階床について、案内板などで確認することなく、乗りかご３に乗って居住者名が表示された押しボタン８ａを押すことにより行先階へ案内されるので、階床を確認する労力が軽減されるとともにエレベータ利用の利便性を向上することができる。なお、上記実施形態では、各階床の居室数として３室の場合を例にとって説明したが、１室の場合やその他の数の場合でもよく、また階床毎に異なる数の場合であってもよい。
【００１４】
図２の例は、かご内操作盤８の押しボタン８ａの表示として、各居住者名を表示するものであるが、居住者名の表示に加えて階床を合わせて表示してもよい。また、図２の例では、各階床ごとに居住者名の押しボタン８ａを並べて配置しているが、あいうえお順やアルファベット順に並べて配置してもよい。
【００１５】
さらに、押しボタン８ａが押されたときに、かご内出力装置９から音声による行先階の報知やかご内操作盤８の表示装置８ｄによる、たとえば「○階です」との表示による行先階の報知を行なうようにしてもよい。これにより、乗客が行先階を確認することができる。
【００１６】
図４は、本発明の第２の実施形態によるエレベータシステムの制御系統図である。本実施形態においては、居室側または建物一階の乗り場ドアの近くに、居住者が操作するスイッチ１４を設けたところに特徴を有する。このスイッチ１４は、駆動制御装置１３に接続されており、その操作によりオン、オフ信号または複数種類の信号を出力することができるようになっている。居住者がこのスイッチ１４を選択操作しておくことにより、かご内操作盤８の押しボタン８ａが操作されると、その操作に基づいて駆動制御装置１３が乗りかご３内のかご内出力装置９や表示装置８ｄを介して訪問者に対し居住者の居室のある階床を報知したり、居住者の不在を報知したりあるいは全く報知しない非報知としたりして報知の切り換えを行なう。
【００１７】
これにより、居住者がたとえば外出して留守にする場合には、このスイッチ１４を操作して不在の報知または非報知に切り換えておくことにより、訪問者がかご内操作盤８の押しボタン８ａを押すと、不在の旨の報知がなされたり、非報知の状態となったりするので、訪問者は訪問先が留守であることを知ることができる、したがって訪問者の居室まで出向く労力を軽減することができることになる。
【００１８】
図５は、本発明の第３の実施形態によるエレベータシステムを採用した建物の平面図であり、図６は図５のエレベータシステムにおける制御系統図である。本実施形態においては、２階以上の各階床にそれぞれ２つの居室が設けられ、エレベータを降りてから居室まで居住者専用に独立して移動できるように構成されている建物に採用された場合である。図５および図６において、建物１５の中央部に昇降路１６が設けられており、この昇降路１６内を、二方向のかごドア１７ａ、１７ｂを有する乗りかご１７が昇降するようになっている。なお、２０は非常階段、２１はオートロックドアである。
【００１９】
二方向のかごドア１７ａ、１７ｂに対応する側の昇降路１６の側壁には、各階床にそれぞれ乗り場ドア１５ａ、１５ｂおよび乗り場操作盤（図示せず）が設けられている。乗りかご１７内には、それぞれのかごドア１７ａ、１７ｂの近くにかご内操作盤１８が設けられており、このかご内操作盤１８に居住者名を表示した押しボタン１８ａが設けられている。かご内操作盤１８にはさらに、１階ホールボタン１８ｂ、ドア開閉ボタン１８ｃ、表示装置１８ｄなどが設けられている。
【００２０】
これら押しボタン１８ａなどは、駆動制御装置１３に接続されており、押しボタン１８ａが操作されると、駆動制御装置１３は、行先階登録を受け付け、押されたボタン８ａ、８ｂに該当する行先階への乗りかご３の昇降制御を行なう。さらに行先階に到着した際には、押しボタン１８ａの操作に対応する居住者の居室のある側のかごドア１７ａ、１７ｂを開閉するようになっている。
【００２１】
したがって、エレベータ利用者は、乗りかご１７に乗って居住者名が表示された押しボタン１８ａを押すことにより、行先階へ案内され、さらにエレベータを降りた後、通路１１を通り、居室まで居住者専用の移動を行なうことができる。
【００２２】
さらに、押しボタン１８ａが押されたときに、かご内出力装置９から音声による行先階の報知やかご内操作盤１８の表示装置１８ｄによる、たとえば「○階です」との表示による行先階の報知を行なうようにしてもよい。これにより乗客は行先階を確認することができる。
【００２３】
ここで本実施形態では、駆動制御装置１３には各居室の居住者用のスイッチ１９が接続されており、このスイッチ１９は、居室側または建物の１階に設けられ、オン、オフ信号または複数種類の信号を出力するスイッチで構成されている。このスイッチ１９を居住者が操作することにより、訪問者による押しボタン１８ａの操作に基づき、乗りかご１７内において、居住者の居室のある階床の報知と、居住者の不在の報知あるいは非報知とを切り換えるように構成されているとともにスイッチ１９の状態が不在の報知あるいは非報知に切り換えられているときには、乗りかご１７の行先階への着床を禁止するように構成されている。これにより、居住者が不在の場合は、エレベータ利用者による居住者の居室のある行先階への移動が阻止されるので、居室のセキュリティを高めることができる。
【図面の簡単な説明】
【００２４】
【図１】本発明の第１の実施形態によるエレベータシステムを採用した建物を示す部分縦断面図である。
【図２】図１のエレベータシステムで用いられるかご内操作盤を示す正面図である。
【図３】図１のエレベータシステムにおける駆動制御装置とかご内操作盤との接続構成を示す制御系統図である。
【図４】本発明の第２の実施形態によるエレベータシステムの制御系統図である。
【図５】本発明の第３の実施形態によるエレベータシステムを採用した建物の平面図である。
【図６】図５のエレベータシステムにおける制御系統図である。
【符号の説明】
【００２５】
１，１５…建物、１ａ，１５ａ，１５ｂ…乗り場ドア、２，１６…昇降路、３，１７…乗りかご、３ａ，１７ａ，１７ｂ…かごドア、４…巻上機、５…シーブ、６…ロープ、７…釣り合い重り、８，１８…かご内操作盤、８ａ，１８ａ…押しボタン、８ｂ，１８ｂ…１階ホールボタン、８ｃ，１８ｃ…ドア開閉ボタン、８ｄ，１８ｄ…表示装置、９…かご内出力装置（報知手段）、１０…エントランスホール、１１…通路、１２…乗り場操作盤、１３…駆動制御装置、１４，１９…スイッチ
【図１】
2007217127.tif 000003
【図２】
2007217127.tif 000004
【図３】
2007217127.tif 000005
【図４】
2007217127.tif 000006
【図５】
2007217127.tif 000007
【図６】
2007217127.tif 000008